(57)【要約】【課題】  静電容量式タッチパネルのパターン化された透明導電層（透明電極）を積層するために使用され、デントが防止されたベース基材シートを提供する。【解決手段】  本発明により提供されるベース基材シートは、透明電極を積層するために使用される。透明材料で形成された基材フィルムの表面に微マット層を有する。微マット層は、マイクロメーターサイズのマット剤と、樹脂分としての電離放射線硬化型樹脂を含む硬化性組成物の硬化物で構成され、かつ表面凸数が単位面積あたり４０００〜８０００個／ｃｍ２である。マット剤は、樹脂分１００重量部に対して０．０５〜０．２重量部の範囲で含有されてなる。【選択図】  図２
2015063058.tif 000002
【特許請求の範囲】
【請求項１】
透明電極を積層するために使用されるベース基材シートにおいて、
透明材料で形成された基材フィルムの表面に微マット層を有し、
該微マット層は、マイクロメーターサイズのマット剤と、樹脂分としての電離放射線硬化型樹脂を含む硬化性組成物の硬化物で構成され、かつ表面凸数が単位面積あたり４０００〜８０００個／ｃｍ２であり、
前記マット剤は、樹脂分１００重量部に対して０．０５〜０．２重量部の範囲で含有されてなることを特徴とするベース基材シート。
【請求項２】
請求項１記載のシートにおいて、前記マット剤は、平均粒子径が０．１〜１０μｍであることを特徴とするベース基材シート。
【請求項３】
請求項１又は２記載のシートにおいて、前記マット剤は、平均粒子径が異なる複数のマット剤を組み合わせてなり、少なくとも、平均粒子径が０．１〜４．０μｍの第１のマット剤と、平均粒子径が３．０〜１０．０μｍの第２のマット剤を含むことを特徴とするベース基材シート。
【請求項４】
請求項３記載のシートにおいて、前記マット剤が、前記第１のマット剤と前記第２のマット剤のみを組み合わせてなり、それぞれの、粒子径分布の変動係数が１５％以下のものを用いたことを特徴とするベース基材シート。
【請求項５】
請求項３又は４記載のシートにおいて、全マット剤中での、前記第１のマット剤と前記第２のマット剤の重量比率が、８：２〜６：４であることを特徴とするベース基材シート。
【請求項６】
請求項１〜５の何れかに記載のシートにおいて、前記基材フィルムの前記微マット層とは反対面に、マット剤非含有の透明ハードコート層が積層してあるベース基材シート。
【請求項７】
請求項１〜６の何れかに記載のベース基材シートに、透明導電層を所定パターンで積層した透明導電性積層体を電極基板として備えた静電容量式タッチパネル。
【請求項８】
透明材料で形成された基材フィルムに積層され、表面凸数が単位面積あたり４０００〜８０００個／ｃｍ２の微マット層を形成するための硬化性組成物において、
マイクロメーターサイズのマット剤と、樹脂分としての電離放射線硬化型樹脂を含み、
前記マット剤は、樹脂分１００重量部に対して０．０５〜０．２重量部の範囲で含有されてなることを特徴とする硬化性組成物。
【発明の詳細な説明】
【技術分野】
【０００１】
本発明は、静電容量式タッチパネルのパターン化された透明導電層（透明電極）を積層するために使用するベース基材シートと、このシートに透明電極を積層した電極基板を備えた静電容量式タッチパネルとに関する。
【背景技術】
【０００２】
位置入力装置であるタッチパネルには、タッチ位置の検出原理の違いから、一般に、抵抗膜式、静電容量式、光学式および超音波式等の各方式がある。静電容量方式としては、表面型静電容量（Surface Capacitive）方式と、投影型静電容量（Projected Capacitive）方式とが知られている。静電容量式のタッチパネルは、表面型および投影型ともに、タッチ位置に生じる静電容量の変化を捉えて入力位置の検出を行う。このため、機械的な接触変形（透明導電膜を凹ませる）を伴う抵抗膜式と比較して入力に力を必要とせず、画面に触れるだけの軽いタッチで入力を行うことができるメリットがある。
【０００３】
投影型静電容量式タッチパネルの電極に利用する透明導電性積層フィルムとして、透明材料で形成された基材フィルムの表面に積層されたハードコート層上に、透明導電層を格子状又はストライプ状などの形状にパターン化して形成したものが知られている（特許文献１）。すなわち、特許文献１の透明導電性積層フィルムにおいて、これを投影型静電容量式タッチパネルの電極に利用する場合の、電極（パターン化した透明導電層）を積層するベース基材シートは、透明材料で形成された基材フィルムの表面に、ハードコート層を積層した構造を有する。
【先行技術文献】
【特許文献】
【０００４】
【特許文献１】特開２０１２−２１８３６８号公報
【発明の概要】
【発明が解決しようとする課題】
【０００５】
この種のベース基材シートは、まず、透明材料で形成された帯状の基材フィルム上にハードコート層を形成して帯状の積層体とした後、これを一旦ロール状に巻き取り原反（ロール状原反）とする。次に、切断機を用いて、ロール状原反から繰り出される積層体を所定サイズ（例えば、利用するタッチパネル等の形状サイズ）のシート状に切断する。こうした工程を経ることで、特許文献１のベース基材シートは得られている。
【０００６】
特許文献１の技術で用いられているベース基材シート中のハードコート層は、層表面の光散乱を抑制して視認性を向上させるべく、ｎｍ（ナノメータ）サイズの非常に細かなマット剤となる無機粒子を多量（組成物全体の２５％〜７５％。同文献の実施例の表１参照）に配合した重合性組成物（硬化性樹脂前駆体）の硬化物で構成されている。このような構成であるため、視認性を向上できるだけの表面凹凸が存在しているにすぎず、実質的に表面凹凸はほとんど形成されていない（明確な凸がない）。その結果、帯状の積層体（前出）をロール状に巻き取る際、間に、気泡が巻き込まれ、またホコリなどの異物が混入してしまった場合、これらが跡となって、帯状積層体のところどころにデント（小さな凹み又は変形）が生ずる。
【０００７】
デントが生じた帯状積層体から所定サイズに切り出して得られるベース基材シートにデントが含まれていると、その上に透明導電パターンを形成することで得られる透明導電性フィルムをタッチパネルの電極に使用した場合、その変形が存在することによって、センサー部分である透明導電パターンに誤作動を生じたり、液晶表示装置としたときにデントが見えてしまい、外観不良となることがある。
なお、官能評価によるざらっと感（マット感）がこの種のベース基材シートに生じていると、これを利用した透明導電性積層フィルムを組み込んだ静電容量式タッチパネル画面上の、画像が暗くなったり、また不鮮明になったりすることなど視認性の低下が懸念される。したがって、この種のベース基材シートでは、上述したデントが防止されているとともに、マット感が抑制されていることが望ましい。
【０００８】
本発明の一側面では、静電容量式タッチパネルのパターン化された透明導電層（透明電極）を積層するために使用され、デントが防止され、かつマット感が抑制されたベース基材シートを提供する。本発明の他の側面では、誤作動を生じないパターン化された透明導電層を備え、視認性に優れた静電容量式タッチパネルを提供する。本発明の他の側面では、デントの発生防止機能とマット感抑制機能を発現させる塗膜を形成可能な硬化性組成物を提供する。
【課題を解決するための手段】
【０００９】
以下、本発明において、透明材料で形成された基材フィルムの一方の面を「第１面」と言い、この第１面とは反対側の面を「第２面」と言う。また「デント」とは、基材フィルムの微マット層（後述）とは反対面に形成される、視認可能な浅い凹み（へこみ）又は変形を言う。「マット感」とは、官能評価によるざらっと感を意味する。
【００１０】
本発明者らは、マット剤と電離放射線硬化型樹脂を含む硬化性組成物（硬化性樹脂前駆体）において、マット剤としてμｍ（マイクロメータ）サイズの粒径が比較的大きな有機粒子を極微量（組成物全体の０．０５％〜０．１％）に配合すると、その組成物の硬化後に層表面に適切な数の明確な凸が発現することを見出した。
【００１１】
層表面に所定数以上の明確な凸が発現することにより、透明材料で形成された基材フィルムの第１面に、上記所定の硬化性組成物の硬化物で構成される微マット層（微マット化ハードコート層）を積層した帯状積層体を、ロール状に巻き取りロール状原反を得ようとする際、間に、気泡が巻き込まれ、またホコリなどの異物が混入した場合でも、微マット層表面に明確に発現した凸が基材フィルムの第２面側と点で接触し、間に空隙を確保することができ、この確保された空隙により、巻き取りの際に巻き込まれた気泡や混入した異物は、ロール状原反の内部から解放され、その結果、帯状積層体へのデントが防止でき、引いては、デントが防止されたベース基材シートが得られることを見出した。
【００１２】
また、層表面に所定数以下の明確な凸が発現することにより、マット感が抑制されたベース基材シートが得られ、その結果、誤作動を生じないパターン化された透明導電層を備え、視認性に優れた静電容量式タッチパネルが得られることを見出した。以上の知見に基づき本発明を完成させた。
【００１３】
すなわち本発明によれば、以下に示す構成のベース基材シートが提供される。また本発明によれば、以下に示す構成のベース基材シートにパターン化された透明導電層（透明電極）を積層した透明導電性積層体を電極基板として備えた静電容量式タッチパネルが提供される。また本発明によれば、以下に示す構成の硬化性組成物が提供される。
【００１４】
本発明のベース基材シートは、静電容量式タッチパネルの透明電極を積層するために使用されるものであって、透明材料で形成された基材フィルムの表面に微マット層を有する。微マット層は、マイクロメーターサイズのマット剤と、樹脂分としての電離放射線硬化型樹脂を含む硬化性組成物の硬化物で構成され、かつ表面凸数が単位面積あたり４０００〜８０００個／ｃｍ２である。マット剤は、樹脂分１００重量部に対して０．０５〜０．２重量部の範囲で含有されてなることを特徴とする。
【００１５】
本発明の静電容量式タッチパネルは、本発明のベース基材シートに、透明導電層を所定パターンで積層した透明導電性積層体を電極基板として備えたことを特徴とする。
【００１６】
本発明の硬化性組成物は、透明材料で形成された基材フィルムに積層され、表面凸数が単位面積あたり４０００〜８０００個／ｃｍ２の微マット層を形成するために用いられ、マイクロメーターサイズのマット剤と、樹脂分としての電離放射線硬化型樹脂を含み、前記マット剤は、樹脂分１００重量部に対して０．０５〜０．２重量部の範囲で含有されてなることを特徴とする。
【００１７】
本発明は、以下の態様を含む。
（１）ベース基材シート、静電容量式タッチパネル及び硬化性組成物において、マット剤を、平均粒子径が０．１〜１０μｍのもので構成することができる。マット剤は、平均粒子径が異なる複数のマット剤を組み合わせて用いることが好ましい。この場合、少なくとも、平均粒子径が０．１〜４．０μｍの第１のマット剤と、平均粒子径が３．０〜１０．０μｍの第２のマット剤を含むようにすることができる。マット剤は、第１のマット剤と第２のマット剤のみを組み合わせて用いることもできる。この場合、それぞれの、粒子径分布の変動係数が１５％以下のものを用いることができる。含有させる全マット剤中での、第１のマット剤と第２のマット剤の重量比率は、第３以降のマット剤の含有、非含有を問わず、８：２〜６：４とすることができる。
（２）ベース基材シート及び静電容量式タッチパネルにおいて、基材フィルムの前記微マット層とは反対面に、マット剤を含有しない（マット剤非含有の）透明ハードコート層を積層することもできる。この場合、静電容量式タッチパネルにおけるパターン化された透明導電層（透明電極）は、マット剤非含有透明ハードコート層および微マット層の少なくともいずれか（すなわち一方又は双方）に形成することができる。
【発明の効果】
【００１８】
本発明によれば、微マット層を形成する、マット剤と電離放射線硬化型樹脂を含む硬化性組成物において、マット剤として、マイクロメーターサイズのものを用い、かつこれを極微量で含有させたので、塗膜の、硬化後に層表面に適切な数の明確な凸が発現する。その結果、この塗膜（微マット層）を透明材料で形成された基材フィルムの第１面に積層した帯状積層体を用いてロール状原反とした場合でも、これを得ようとする過程で、間に、気泡が巻き込まれ、またホコリなどの異物が混入した場合でも、微マット層表面に明確に発現した凸が基材フィルムの第２面側と点で接触し、間に空隙を確保することができる。この確保された空隙により、巻き取りの際に巻き込まれた気泡や混入した異物は、ロール状原反の内部から解放される。その結果、帯状積層体へのデント（変形）が防止され、引いては、デントが防止されたベース基材シートを提供することができる。また、マット感が抑制されたものとすることもできる。
【００１９】
本発明の硬化性組成物を用いれば、透明材料で形成された基材フィルム上に、表面凸数が適切な塗膜（微マット層）を積層することができる。その結果、その積層体をロール状に巻き取った際に帯状積層体に対してデントの発生防止とマット感の抑制とが実現される。
【００２０】
本発明の静電容量式タッチパネルは、電極基板として、デントが防止された本発明のベース基材シートに、透明導電層を所定パターンで積層した透明導電性積層体を備えるため、誤作動を生じにくいものとすることができる。また電極基板のベースに、マット感が抑制された本発明のベース基材シートを用いるため、これを利用した透明導電性積層体を組み込み静電容量式タッチパネルとしても、該パネル画面上の、画像が暗くなったり、また不鮮明になったりすることが防止され、視認性に優れたものとすることができる。
【図面の簡単な説明】
【００２１】
【図１】図１は本発明のベース基材シートの一例を示す断面図である。
【図２】図２は本発明のベース基材シートの他の例を示す断面図である。
【図３】図３は本例の透明導電性積層体を示す断面図である。
【図４】図４は本発明の静電容量式タッチパネルの一例を模式的に示す平面図である。
【図５】図５は本発明の静電容量式タッチパネルの一例を模式的に示す拡大断面図である。
【図６】図６は図４，５のタッチパネルに備える縦方向位置（Ｙ座標位置）検出用センサ電極を模式的に示す底面図である。
【図７】図７は図４，５のタッチパネルに備える横方向位置（Ｘ座標位置）検出用センサ電極を模式的に示す底面図である。
【図８】図８は実施例１で得られたベース基材シートの微マット層側、表面の様子を示した顕微鏡写真である。
【図９】図９は比較例２で得られたベース基材シートの微マット層側、表面の様子を示した顕微鏡写真である。
【図１０】図１０は実施例１で得られたベース基材シートの微マット層側、表面の様子を示した写真である。
【図１１】図１１は比較例１で得られたベース基材シートの微マット層側、表面の様子を示した写真である。
【発明を実施するための形態】
【００２２】
図１に示すように、本例のベース基材シート１は、静電容量式タッチパネルの透明電極を積層するために使用されるものであり、透明材料で形成された基材フィルム１１の第１面１１ａ（図３参照）に、微マット層１２を積層した構造を有する。
【００２３】
基材フィルム１１としては、例えば、ポリエチレンテレフタレート、ポリブチレンテレフタレート、ポリエチレンナフタレート、ポリカーボネート、ポリエチレン、ポリプロピレン、ポリスチレン、トリアセチルセルロース、アクリルなどの材質で形成された透明フィルムが挙げられる。これらの中でも、延伸加工、特に二軸延伸加工されたポリエチレンテレフタレートフィルムが、機械的強度や寸法安定性に優れる点で好ましい。また、透明基材１１の表面にコロナ放電処理を施したり、易接着層を設けることによって微マット層１２や機能層１３（いずれも後述）との接着性を向上させたものも好適に用いられる。基材フィルム１１の厚みとしては、一般には２０〜５００μｍであり、好ましくは２３〜２００μｍである。
【００２４】
微マット層１２は、ベース基材シート１全体のブロッキングや変形（デント、小さな凹み）を防止する機能を司り、樹脂分１２１とマット剤１２２を含み、硬化性組成物の硬化物で構成されている。
【００２５】
本例の硬化性組成物は、樹脂分とマット剤を含む。なお、本例でいう樹脂分には、硬化型樹脂や熱可塑性樹脂が含まれる。また本例でいう硬化物とは、硬化主剤としての硬化型樹脂とともに、該硬化型樹脂の硬化に必要な、重合開始剤や、重合促進剤（紫外線増感剤など）、硬化剤などの硬化助剤をも含む概念で用いる。
【００２６】
本例の樹脂分は、少なくとも電離放射線硬化型樹脂を含む。電離放射線硬化型樹脂としては、電離放射線（紫外線若しくは電子線）の照射により架橋硬化するものが用いられる。このようなものとしては、光カチオン重合可能な光カチオン重合性樹脂、光ラジカル重合可能な光重合性プレポリマー若しくは光重合性モノマーなどの１種又は２種以上を混合したものを使用することができる。
【００２７】
光カチオン重合性樹脂としては、ビスフェノール系エポキシ樹脂、ノボラック型エポキシ樹脂、脂環式エポキシ樹脂、脂肪族エポキシ樹脂等のエポキシ系樹脂やビニルエーテル系樹脂などが挙げられる。
【００２８】
光重合性プレポリマーとしては、１分子中に２個以上のアクリロイル基を有し、架橋硬化することにより３次元網目構造となるアクリル系プレポリマーが特に好ましく使用される。このアクリル系プレポリマーとしては、ウレタンアクリレート、ポリエステルアクリレート、エポキシアクリレート、メラミンアクリレート、ポリフルオロアルキルアクリレート、シリコーンアクリレート等が使用できる。さらにこれらのアクリル系プレポリマーは単独でも使用可能であるが、架橋硬化性を向上させ機能層の硬度をより向上させるために、光重合性モノマーを加えることが好ましい。
【００２９】
光重合性モノマーとしては、２−エチルヘキシルアクリレート、２−ヒドロキシエチルアクリレート、２−ヒドロキシプロピルアクリレート、ブトキシエチルアクリレート等の単官能アクリルモノマー、１，６−ヘキサンジオールジアクリレート、ネオペンチルグリコールジアクリレート、ジエチレングリコールジアクリレート、ポリエチレングリコールジアクリレート、ヒドロキシピバリン酸エステルネオペンチルグリコールジアクリレート等の２官能アクリルモノマー、ジペンタエリスリトールヘキサアクリレート、トリメチルプロパントリアクリレート、ペンタエリスリトールトリアクリレート等の多官能アクリルモノマー等の１種若しくは２種以上が使用される。
【００３０】
電離放射線硬化型樹脂は、上述した光カチオン重合性樹脂、光重合性プレポリマー若しくは光重合性モノマーの他、紫外線照射によって硬化させる場合には、光重合開始剤や紫外線増感剤などの硬化助剤を含有させることが好ましい。
光重合開始剤としては、アセトフェノン類、ベンゾフェノン類、ミヒラーケトン、ベンゾイン、ベンジルメチルケタール、ベンゾイルベンゾエート、α−アシルオキシムエステル、チオキサンソン類などの光ラジカル重合開始剤や、オニウム塩類、スルホン酸エステル、有機金属錯体などの光カチオン重合開始剤が挙げられる。紫外線増感剤としては、ｎ−ブチルアミン、トリエチルアミン、トリ−ｎ−ブチルホスフィンなどが挙げられる。
【００３１】
また、光重合促進剤は、硬化時の空気による重合障害を軽減させ硬化速度を速めることができるものであり、例えば、ｐ−ジメチルアミノ安息香酸イソアミルエステル、ｐ−ジメチルアミノ安息香酸エチルエステルなどが挙げられる。
【００３２】
また、電離放射線硬化型樹脂として、電離放射線硬化型有機無機ハイブリッド樹脂を用いてもよい。電離放射線硬化型有機無機ハイブリッド樹脂（以下単に「有機無機ハイブリッド樹脂」と略記することもある。）とは、ガラス繊維強化プラスチック（ＦＲＰ）で代表される昔からの複合体と異なり、有機物と無機物の混ざり方が緊密であり、また分散状態が分子レベルかそれに近いもので、電離放射線の照射により、無機成分と有機成分とが反応して、被膜を形成することができるものである。
【００３３】
有機無機ハイブリッド樹脂中の無機成分としては、シリカ、チタニア等の金属酸化物が挙げられるが、好ましくはシリカである。シリカとしては、表面に光重合反応性を有する感光性基が導入された反応性シリカが挙げられる。有機無機ハイブリッド樹脂中での無機成分の含有率は、好ましくは１０重量％以上、より好ましくは２０重量％であって、好ましくは６５重量％以下、より好ましくは４０重量％以下である。
【００３４】
有機無機ハイブリッド樹脂中の有機成分としては、前記無機成分（好ましくは反応性シリカ）と重合可能な重合性不飽和基を有する化合物（例えば、分子中に２個以上の重合性不飽和基を有する多価不飽和有機化合物、または分子中に１個の重合性不飽和基を有する単価不飽和有機化合物等）が挙げられる。
【００３５】
本例では、上述した電離放射線硬化型樹脂とともに、特定の、熱可塑性樹脂及び熱硬化型樹脂の１つ以上を、硬化性組成物中に含有させることもできる。
【００３６】
電離放射線硬化型樹脂とともに、熱可塑性樹脂及び熱硬化型樹脂の１つ以上を含めることで、硬化の過程で電離放射線硬化型樹脂の流動が抑制され、これによって硬化後の微マット層１２表面に、より一層、適切な数の明確な凸を発現させることができる。
【００３７】
熱可塑性樹脂としては、例えば、ポリエステル系樹脂、アクリル系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、フッ素系樹脂などが挙げられる。
熱硬化型樹脂としては、例えば、ポリエステルアクリレート系樹脂、ポリウレタンアクリレート系樹脂、エポキシアクリレート系樹脂、エポキシ系樹脂、メラミン系樹脂、フェノール系樹脂、シリコーン系樹脂などが挙げられる。
熱可塑性樹脂と熱硬化型樹脂とを比較すると、表面形状を調整しやすく、取扱い性に優れるという点で熱可塑性樹脂が好適である。
【００３８】
熱可塑性樹脂、熱硬化型樹脂に（メタ）アクリロイル基を導入しても良い。（メタ）アクリロイル基を導入することで電離放射線硬化型樹脂と強固に結合することができる。
【００３９】
熱可塑性樹脂及び／又は熱硬化型樹脂として特に、ガラス転移温度（Ｔｇ）が４５℃以上、好ましくは８０℃以上、より好ましくは９０℃以上のものを用いる。Ｔｇが４５℃以上の熱可塑性樹脂及び／又は熱硬化型樹脂を電離放射線硬化型樹脂とともに用いることで、硬化の過程で、電離放射線硬化型樹脂の流動を抑制しやすくできる。
なお、本例での熱硬化型樹脂のＴｇは、硬化前のものである。
【００４０】
熱可塑性樹脂及び／又は熱硬化型樹脂として特に、重量平均分子量（Ｍｗ）が７０，０００以上、好ましくは８０，０００以上のものを用いる。Ｍｗが７０，０００以上の熱可塑性樹脂及び／又は熱硬化型樹脂を電離放射線硬化型樹脂とともに用いることで、硬化の過程で、電離放射線硬化型樹脂の流動を抑制しやすくできる。
【００４１】
すなわち本例では、電離放射線硬化型樹脂とともに、下記（ａ）および（ｂ）の１つ以上を含めることができる。
（ａ）重量平均分子量が７万以上で、かつガラス転移温度が４５℃以上の熱可塑性樹脂、
（ｂ）重量平均分子量が７万以上で、かつガラス転移温度が４５℃以上の熱硬化型樹脂。
【００４２】
なお、重量平均分子量（Ｍｗ）の値は、例えば、示差屈折率検出器（ＲＩＤ）を装備したゲルパーミエーションクロマトグラフ（ＧＰＣ）によって、化合物の分子量分布を測定して、得られたクロマトグラム（チャート）から、標準ポリスチレンを検量線として、算出することができる。
【００４３】
上記（ａ）および（ｂ）の１つ以上を含める場合、電離放射線硬化型樹脂と、熱可塑性樹脂及び／又は熱硬化型樹脂との重量比を、好ましくは前者が５０重量％以上８５重量％未満、後者が１５重量％を超え５０重量％以下とし、より好ましくは前者が６０重量％以上８０重量％以下、後者が２０重量％以上４０重量％以下とし、さらに好ましくは前者が６０重量％以上７５重量％以下、後者が２５重量％以上４０重量％以下とする。熱可塑性樹脂及び／又は熱硬化型樹脂を１５重量％を超す量とすることにより、うねりの発生を十分に抑制して層表面へ、より一層、適切な数の明確な凸を発現しやすくすることができる。熱可塑性樹脂及び／又は熱硬化型樹脂を５０重量％以下とすることにより、必要以上に熱可塑性樹脂及び／又は熱硬化型樹脂を含むことによる塗膜強度の低下を防止しやすくすることができる。
【００４４】
マット剤としては、無機粒子（例えば、炭酸カルシウム、炭酸マグネシウム、硫酸バリウム、水酸化アルミニウム、シリカ、カオリン、クレー、タルクなど）や、樹脂粒子（例えば、アクリル樹脂粒子、ポリスチレン樹脂粒子、ポリウレタン樹脂粒子、ポリエチレン樹脂粒子、ベンゾグアナミン樹脂粒子、エポキシ樹脂粒子など）が挙げられる。中でも、取扱い性や、表面形状の制御のしやすさの観点から、球形の微粒子が好ましい。また、樹脂粒子は、樹脂と粒子との屈折率差が少なく、透明性を阻害しない点で好適である。
【００４５】
マット剤の平均粒子径は、微マット層１２の厚みによって異なるため一概にはいえないが、好ましくは０．１μｍ以上、より好ましくは１μｍ以上であって、好ましくは１０μｍ以下、より好ましくは８μｍ以下とする。マット剤の平均粒子径を１０μｍ以下とすることにより、マット感を抑え、クリア性を発現させやすくでき、平均粒子径を０．１μｍ以上とすることにより、ブロッキングの防止や、デントの抑制を発現させやすくできる。
【００４６】
本例のマット剤は、マット感を抑える観点で、平均粒子径が異なる複数のマット剤の組み合わせで構成することが好ましい。微マット層１２にマット感が生じると、画像が暗くなったり、不鮮明になったりしてタッチパネル画面の視認性が低下しやすい。
本例の場合、平均粒子径が、好ましくは０．１μｍ以上、より好ましくは０．５μｍ以上、さらに好ましくは２．５μｍ以上であって、好ましくは４．０μｍ以下、より好ましくは３．５μｍ以下の第１のマット剤と、平均粒子径が、好ましくは３．０μｍ以上、より好ましくは４．０μｍ以上であって、好ましくは１０．０μｍ以下、より好ましくは７．０μｍ以下、さらに好ましくは６．０μｍ以下の第２のマット剤とを、少なくとも、含めて構成することがより好ましい。平均粒子径が異なる複数のマット剤を組み合わせて用いることにより、デントの抑制を発現させやすくできるとともに、マット感を抑制しやすい。
【００４７】
本例のマット剤として、上述した２種（第１のマット剤、第２のマット剤）のみを組み合わせて用いる場合（これら２種以外の、第３以降のマット剤を含有しない）、それぞれの、粒子径分布の変動係数が１５％以下、好ましくは１０％以下のもの（いわゆる単分散粒子）を用いることが好ましい。上述した第１のマット剤と第２のマット剤のみを組み合わせて用いる場合、それぞれの、粒子径分布の変動係数が１５％以下のものを用いることで、極大粒子を起点としたデントを抑制しやすくでき、また、安定した外観としやすくできる。
なお、変動係数（ＣＶ値：ｃｏｅｆｆｉｃｉｅｎｔ  ｏｆ  ｖａｒｉａｔｉｏｎ）とは、粒子径分布の分散状態を示す値であって、粒子径分布の標準偏差（不偏分散の平方根）を粒子径の算術平均値（平均粒子径）で除した値の百分率である。つまり、粒径分布の拡がり（粒子径のばらつき）が平均値（算術平均径）に対してどの程度あるのかを表したものであり、通常は、ＣＶ値（単位なし）＝（標準偏差／平均値）、で求められる。ＣＶ値は、これが小さいほど粒度分布は狭くなり（シャープ）、これが大きいほど粒度分布は広くなる（ブロード）。
【００４８】
マット剤の含有量は、樹脂分１００重量部に対して、好ましくは０．０５重量部以上、より好ましくは０．１重量部以上であって、好ましくは５重量部以下、より好ましくは３重量部以下、さらに好ましくは１重量部以下とする。樹脂分１００重量部に対する含有量を５重量部以下とすることにより、微マット層１２表面のマット感を抑えることができ、含有量を０．０５重量部以上とすることにより、微マット層１２表面でのブロッキング防止や、デントが効果的に抑制される。
なお、本例のマット剤として、上述した２種（第１のマット剤、第２のマット剤）以外の、第３以降のマット剤を含有する場合も含め、これら２種（第１のマット剤、第２のマット剤）を組み合わせて用いる場合、全マット剤中での、第１のマット剤と第２のマット剤の重量比率は、８：２〜６：４であることが好ましい。
【００４９】
なお、本例におけるマット剤の「平均粒子径」及び「粒子径分布の変動係数」は、コールターカウンター法によって測定した値である。
コールターカウンター法とは、溶液中に分散しているマット剤粒子の数及び大きさを、電気的に測定する方法であって、粒子を電解液中に分散させ、吸引力を使って電気が流れている細孔に粒子を通過させる際に、粒子の体積分だけ電解液が置換され、抵抗が増加し、粒子の体積に比例した電圧パルスを測定する方法である。従って、この電圧パルスの高さと数とを電気的に測定することにより、粒子数と個々の粒子体積を測定して、粒子径及び粒子径分布を求めるものである。
【００５０】
硬化性組成物中には、レベリング剤、紫外線吸収剤、酸化防止剤などの添加剤を添加してもよい。
【００５１】
本例の微マット層１２は、上述したように、マット剤として、特定サイズの（粒径が比較的大きいなど。好ましくは平均粒子径が異なる複数のマット剤の組み合わせる）有機粒子を極微量に配合することにより、層表面に明確な凸が単位面積あたり４０００〜８０００個／ｃｍ２、発現している。なお、上述した、（ａ）の熱可塑性樹脂、及び（ｂ）の熱硬化性樹脂、の１つ以上を含有させた場合、この凸の発現数がより一層適切なものとなる。具体的には、単位面積あたり４５００〜７５００個／ｃｍ２、発現することとなる。
このように、層表面に明確な凸を単位面積あたり４０００個／ｃｍ２以上、発現させることにより、デントの抑制に効果があることが、本発明者らにより見出されたものである。なお、単位面積あたりの凸数を８０００個／ｃｍ２以下にすることで、マット感の抑制に効果があることも見出した。
【００５２】
平均粒子径が異なる複数のマット剤を組み合わせて用いた場合、微マット層１２表面に発現する明確な凸のうち、小さい方の凸の高さは、好ましくは０．２μｍ以上、より好ましくは０．３μｍ以上、さらに好ましくは０．５μｍ以上、更に好ましくは１．０μｍ以上であって、好ましくは２．５μｍ以下、より好ましくは２．０μｍ以下となる。大きい方の凸の高さは、好ましくは１．５μｍ以上、より好ましくは２．０μｍ以上であって、好ましくは５．０μｍ以下、より好ましくは４．０μｍ以下、さらに好ましくは３．０μｍ以下となる。
【００５３】
微マット層１２は、上述した本例の硬化性組成物を、基材フィルム１１の第１面１１ａに塗布、乾燥、電離放射線照射することにより硬化させ、これにより形成することができる。
【００５４】
微マット層１２は、傷つき防止の観点から、ＪＩＳ−Ｋ５４００：１９９０の鉛筆硬度がＦ以上であることが好ましい。より好ましくはＨ以上、さらに好ましくは２Ｈ以上、特に好ましくは３Ｈ以上である。
微マット層１２の厚みは、好ましくは０．５μｍ以上、より好ましくは１μｍ以上であって、好ましくは１０μｍ以下、より好ましくは５μｍ以下、特に好ましくは３μｍ以下とされる。
【００５５】
本例では、図３に示すように、基材フィルム１１の第２面１１ｂに、機能層１３を形成してもよい。本例の機能層１３としては、プライマー層、ＡＲ層、透明ハードコート層などが挙げられる。
【００５６】
透明ハードコート層は、微マット層１２とは異なった外観で、微マット層１２裏面の傷付き防止の機能を司り、樹脂分のみを含み（マット剤は含有しない）、硬化性組成物の硬化物で構成することができる。透明ハードコート層を形成する硬化性組成物は、微マット層１２を形成する硬化性組成物に含まれる樹脂分（すなわち、電離放射線硬化型樹脂。場合により、特定（前出）の、熱可塑性樹脂及び熱硬化型樹脂の１つ以上を含むことができる。）のみで構成することが好ましい。透明ハードコート層は、上記硬化性組成物を、基材フィルム１１の第２面１１ｂに塗布、乾燥、電離放射線照射することにより硬化させ、これにより形成することができる。
【００５７】
機能層１３は、微マット層１２と同様、傷つき防止の観点から、ＪＩＳ−Ｋ５４００：１９９０の鉛筆硬度がＦ以上であることが好ましい。より好ましくはＨ以上、さらに好ましくは２Ｈ以上、特に好ましくは３Ｈ以上である。
機能層１３の厚みは、好ましくは０．５μｍ以上、より好ましくは１μｍ以上であって、好ましくは１０μｍ以下、より好ましくは５μｍ以下、特に好ましくは３μｍ以下とされる。
【００５８】
本例のベース基材シート１は、タッチパネルとして、ディスプレイの画像の視認性を阻害しないといった観点から、全光線透過率（ＪＩＳ  Ｋ７３６１−１：１９９７）が９０％以上、へーズ（ＪＩＳ  Ｋ７１３６：２０００）が１０％以下であることが好ましい。
【００５９】
本例のベース基材シート１は、基材フィルム１２上に凸が適切な数で明確に発現した微マット層１２を有するため、所定サイズへ切り出す前の帯状積層体（断面構造は、図１の部0巣基材シート１と同一）を巻き取りロール状原反を得る過程で、間に、気泡が巻き込まれ、またホコリなどの異物が混入した場合でも、微マット層１２表面に明確に発現した凸が基材フィルム１２の第２面１１ｂ側と点で接触し、間に空隙が確保される。この確保された空隙により、巻き取りの際に巻き込まれた気泡や混入した異物は、ロール状原反の内部から解放される。その結果、帯状積層体へのデント（変形）が防止される。すなわち、本例のベース基材シート１は、デントが防止されたものとされる。また本例のベース基材シート１は、明確な凸が適切な数で発現した微マット層１２を有するため、マット感が抑制されたものともなる。
【００６０】
図４に示すように、本例の透明導電性積層体３は、静電容量式タッチパネルの電極基板に使用されるものであり、図１に示すベース基材シート１の第２面１１ｂに機能層１３としての透明ハードコート層を形成した上に、透明導電層３１を所定パターンで積層した構造を有する。
【００６１】
透明導電層３１は、透明電極として利用されている慣用の透明導電層を利用でき、導電性無機化合物で形成された透明導電層でよい。導電性無機化合物としては、ＩＴＯ膜などの金属酸化物が汎用される。
【００６２】
本例の透明導電層３１は、ベース基材シート１の第２面１１ｂ側、機能層１３表面の一部の領域に（部分的に）形成されており、通常、格子状などにパターン化されて形成される。なお、透明導電層３１は、機能層１３表面に代え、あるいはこれとともに、ベース基材シート１の第１面１１ａ側、微マット層１２表面に積層されていてもよい。
【００６３】
透明導電層１３の厚みは、例えば、１〜１０００ｎｍ、好ましくは５〜５００ｎｍ、さらに好ましくは１０〜４００ｎｍ（特に２０〜３００ｎｍ）程度であってもよい。
【００６４】
透明導電層３１を導電性無機化合物で形成する場合の形成方法は、金属又は金属化合物を含む薄膜を形成可能な方法であれば、特に限定されず、慣用の成膜方法を利用して形成できる。成膜方法としては、例えば、物理的気相法（ＰＶＤ）［例えば、真空蒸着法、フラッシュ蒸着法、電子ビーム蒸着法、イオンビーム蒸着法、イオンプレーティング法（例えば、ＨＣＤ法、エレクトロンビームＲＦ法、アーク放電法など）、スパッタリング法（例えば、直流放電法、高周波（ＲＦ）放電法、マグネトロン法など）、分子線エピタキシー法、レーザーアブレーション法など］、化学的気相法（ＣＶＤ）［例えば、熱ＣＶＤ法、プラズマＣＶＤ法、ＭＯＣＶＤ法（有機金属気相成長法）、光ＣＶＤ法など］、イオンビームミキシング法、イオン注入法などが例示できる。これらの成膜方法のうち、真空蒸着法、イオンプレーティング法、スパッタリング法などの物理的気相法、化学的気相法などが汎用され、スパッタリング法、プラズマＣＶＤ法（特にスパッタリング法）が好ましい。
【００６５】
一方、透明導電層３１を導電性ポリマーで形成する場合の形成方法は、導電性ポリマーを含有する液状組成物を塗布して乾燥することにより製造できる。
【００６６】
透明導電層３１は、タッチパネルなどの種類に応じて、格子状又はストライプ状などの形状にパターン化される。投影型静電容量方式タッチパネルでは、例えば、機能層１３の全面に透明導電層３１を形成した後、酸やアルカリなどを用いたエッチングにより格子状にパターン化する方法や、マスクなどを利用したパターニングにより格子状のパターンを形成する方法などが挙げられる。
【００６７】
図５及び図６に示すように、本例の静電容量式タッチパネル５は、センサグリッドを備えて接触体のタッチ位置を画面に平行な二次元座標（Ｘ−Ｙ座標）平面内における座標位置（横方向位置と縦方向位置）として算出するものであり、内部に電極基板５１が配置してある。
【００６８】
電極基板５１として、図４の透明導電性積層体３（片面に電極パターン３１を形成した例）を構成するベース基材シート１の第１面１１ａにも電極パターンが形成してあるものを用いる。具体的には、図６に示すように、電極基板５１は、本例のベース基材シート１を有する。ベース基材シート１の第２面１１ｂには、縦方向位置検出用のセンサ電極５３（Ｙ用電極）が所定パターンで形成され、またベース基材シート１の第１面１１ａには、横方向位置検出用のセンサ電極５５（Ｘ用電極）が所定パターンで形成されている。
【００６９】
Ｙ用電極としてのセンサ電極５３は、図７に示すように、複数の菱形（正方形を４５°回転させた形状）の電極片５０ａを連結導体５０ｂによって数珠繋ぎに接続して連ね、横方向（Ｘ方向）に延びるように配置したセンサ電極群５７を、縦方向（Ｙ軸方向）のタッチ位置を検出できるように、縦方向（Ｙ軸方向）に複数本互いに平行に並べて配置したものである。なお、左右両端の電極片は、三角形の平面形状を有し、各センサ電極群５７の左右いずれかに銀ペーストからなる導体線路６１を接続することにより各センサ電極群５７と駆動用ＩＣ（制御部６２。図５参照）とを電気的に接続する。
【００７０】
Ｘ用電極としてのセンサ電極５５は、図８に示すように、Ｙ用電極としてのセンサ電極５３と同様の形状を有するセンサ電極群５９を複数本備えたものであるが、横方向（Ｘ軸方向）のタッチ位置を検出できるように各センサ電極群５９を、縦方向（Ｙ軸方向）に延びるように配置し、かつ、横方向（Ｘ軸方向）に複数本互いに平行に並べて配置したものである。したがって、Ｘ用電極としての各センサ電極群５７と、Ｙ用電極としての各センサ電極群５９とは互いに直交する。
【００７１】
そして、これら各センサ電極群５７，５９は、平面から見たときに市松模様を４５°回転させたように各センサ電極群５７，５９同士が組み合わされてタッチパネル画面の略全面をＸ用、Ｙ用いずれかのセンサ電極群５７，５９の電極片５０ａが覆うように配置される。
【００７２】
なお、各センサ電極群５７，５９及びこれらを構成する電極片５０ａの数について、図面は実際の装置に適する数を示したものではなく、実際には図示したより多くのセンサ電極群５７，５９及び電極片５０ａを備えてタッチ位置の検出精度を高めることが可能である。また、センサ電極群５７，５９（電極片５０ａ）の形状は、前述したように様々なものであって良く、図示した例のほかにも各種の形状や配置パターン、構造のセンサ電極を採用することが可能である。
【００７３】
本例の静電容量式タッチパネル５は、電極基板として、上述したデントが防止され、かつマット感が抑制されたベース基材シート１に、透明導電層３１を所定パターンで積層した透明導電性積層体３を備えるため、誤作動が生じにくく、かつ視認性も優れている。
【実施例】
【００７４】
以下、本発明の実施形態をより具体化した実施例を挙げ、さらに詳細に説明する。なお、本実施例において「部」、「％」は、特に示さない限り重量基準である。
【００７５】
１．硬化性組成物及びベース基材シートの作製
［実施例１〜５，比較例１〜３］
基材フィルムとして、厚み１２５μｍの透明ポリエステルフィルム（コスモシャインＡ４３５０：東洋紡績社）を使用し、その一方の面（第１面）に、下記処方の塗布液ａ〜ｈをそれぞれ塗布、乾燥、紫外線照射して厚さ２μｍの微マット層を形成し、他方の面（第２面）に、下記処方の塗布液ｉを塗布、乾燥、紫外線照射して厚さ２μｍの透明ハードコート層を形成することにより、各例のベース基材シートを得た。微マット層形成用の各塗布液ａ〜ｈのマット剤の種類と添加量を表１に示す。各塗布液中の全固形分はいずれも２０％に調製した。
【００７６】
＜塗布液ａ〜ｈ＞  
・電離放射線硬化型樹脂（固形分８０％）      １２５部（１００部）
（ユニディック１７−８１３：ＤＩＣ社）、
・熱可塑性アクリル樹脂                      １０７部（４２．８部）
（アクリディックＡ１９５：ＤＩＣ社、固形分４０％、ガラス転移温度９４℃、重量平均分子量８５０００）
・光重合開始剤                                  ３部
（イルガキュア１８４：チバ・ジャパン社）
・マット剤                                  表１記載の種類と固形分比
・希釈溶剤                                  ２００部
【００７７】
＜塗布液ｉ＞  
・電離放射線硬化型樹脂（固形分８０％）      １２５部（１００部）
（ユニディック１７−８１３：ＤＩＣ社）、
・熱可塑性アクリル樹脂                      １０７部（４２．８部）
（アクリディックＡ１９５：ＤＩＣ社、固形分４０％、ガラス転移温度９４℃、重量平均分子量８５０００）
・光重合開始剤                                  ３部
（イルガキュア１８４：チバ・ジャパン社）
・希釈溶剤                                  ２００部
【００７８】
【表１】
2015063058.tif 000003
【００７９】
なお、表１中、マット剤Ａ、Ｂは次のものを用いた。
［マット剤Ａ］  アクリル樹脂粒子（ＭＸ−３００：綜研化学工業社、平均粒子径３μｍ、変動係数９％）
［マット剤Ｂ］  アクリル樹脂粒子（ＭＸ−５００：綜研化学工業社、平均粒子径５μｍ、変動係数９％）
【００８０】
２．評価
各例により得られたベース基材シートについて、以下の評価を行った。結果を表１に示す。
【００８１】
（１）顔料個数
各例で得られたベース基材シートを微マット層裏面から光を照らし、マイクロスコープで透過画像の透過光量を解析し、透過光が少ない部分で球状形状（顔料がある部分）の数をカウントし、単位面積当たりのマット剤の微粒子の個数を測定した。凸の高さは、平均粒子径が小さい方（マット剤Ａ）によるものが凡そ１μｍ程度、平均粒子径が大きい方（マット剤Ｂ）によるものが凡そ２μｍ程度であった。
なお、参考までに、実施例１と比較例２の各ベース基材シートの微マット層側、表面の様子を示した顕微鏡写真を図８，９に示す。図中の黒粒が塗膜中の顔料（マット剤）である。実施例１の様子を示した図８では、黒粒の割合が多い。比較例２の様子を示した図９では、その割合が僅かである。
【００８２】
（２）マット感
各例で得られたベース基材シートを、目線より上方向で斜め４５°に傾け、微マット層から蛍光灯を照らし、微マット層の表面を目視評価した。その結果、５人中３人以上が、クリア感がある（マット感がない）と判断したものを「○」、５人中２人以下が、マット感（ざらっと感）があると判断したものを「×」とした。
なお、参考までに、実施例１と比較例１の各ベース基材シートの微マット層側、表面の様子を示した写真を図１０，１１に示す。実施例１の様子を示した図１０では、天井の蛍光灯の映り込みが鮮明であり、マット感がない。比較例１の様子を示した図１１では、天井の蛍光灯の映り込みがぼやけており、マット感がある。
【００８３】
（３）ブロッキング防止性
各例で得られたベース基材シートを、１０ｃｍ×１０ｃｍのサイズで１０枚用意し、各々のベース基材シートのハードコート層面と微マット層面とを重ね合わせた。次に、当該ベース基材シートをガラス板で挟み込み、約２ｋｇの重りを載せて２３℃
２４時間放置した。重ね合わせ面を目視により観察し、ブロッキングの発生状況を確認した。ブロッキングが発生せず、透明な部分がなかったものを「○」、ブロッキングが発生したが、透明な部分（ブロッキングした部分）が５０％より少ないものを「△」、ブロッキングが発生し、透明な部分（ブロッキングした部分）が５０％以上あったものを「×」として評価した。
【００８４】
（４）ヘーズと全光線透過率
各例で得られたベース基材シートのヘーズ（ＪＩＳ Ｋ７１３６：２０００）及び、全光線透過率（ＪＩＳ
Ｋ７３６１−１：１９９７）を測定した。
【００８５】
（５）デント防止性
各例で得られたベース基材シートを１．５Ｍの長さのサンプル片とし、高さ２ｍの検査台に、サンプル片の上部を貼り付け、サンプル片の下部をたわませた状態で手間に４５°傾けた。反射で、ハードコート層面のデント（凹み、変形）の有無を目視確認した。
デントが、５個／ｍ２以下（０個を含む）であったものを「○」、６個〜５０個／ｍ２であったものを「△」、５１個／ｍ２以上であったものを「×」とした。
【００８６】
表１に示すように、実施例１〜５では、適切な粒子径を持つマット剤を適正量含んだ塗布液を用いて塗膜（微マット層）を形成したので、層表面に発現した凸数（粒子個数）が適正範囲となり、これにより、デントが防止され、かつマット感も抑制された。
これに対し、比較例１では、適切な粒子径を持つマット剤を用いたが、その添加量が多かったため、形成された塗膜（微マット層）の表面に発現した凸数（粒子個数）が多くなり、これにより、マット感（ざらっと感）を生じてしまった。比較例２，３では、適切な粒子径を持つマット剤を用いたが、その添加量が少なかったため、形成された塗膜（微マット層）の表面に発現した凸数（粒子個数）が少なくなり、これにより、デントを防止できなかった。
【符号の説明】
【００８７】
１…ベース基材シート、１１…基材フィルム、１２…微マット層、１２１…樹脂分（バインダー）、１２２…マット剤、１３…機能層、３…透明導電性積層体、３１…透明導電層、５…静電容量式タッチパネル、５１…電極基板、５３，５５…センサ電極、５０ａ…電極片、５０ｂ…連結導体、５７，５９…センサ電極群、６１…導体線路、６２…制御部。
【図１】
2015063058.tif 000004
【図２】
2015063058.tif 000005
【図３】
2015063058.tif 000006
【図４】
2015063058.tif 000007
【図５】
2015063058.tif 000008
【図６】
2015063058.tif 000009
【図７】
2015063058.tif 000010
【図８】
2015063058.tif 000011
【図９】
2015063058.tif 000012
【図１０】
2015063058.tif 000013
【図１１】
2015063058.tif 000014